(57)【要約】【課題】様々な情報を表示すること。【解決手段】表示部７を具備する。表示部７は、識別情報を表示可能な表示面に装置状態を表示可能である。【選択図】図５
2020053264.tif 000002
【特許請求の範囲】
【請求項１】
識別情報を表示可能な表示面に装置状態を表示可能な表示部を具備する照明装置。
【請求項２】
前記識別情報は、ＤＭＸを用いた通信のチャンネルである請求項１に記載の照明装置。
【請求項３】
前記装置状態は、通電状態である請求項１又は２に記載の照明装置。
【請求項４】
前記装置状態は、ＤＭＸの通信状態である請求項１〜３のいずれか１つに記載の照明装置。
【請求項５】
前記装置状態は、ビーム角である請求項１〜４のいずれか１つに記載の照明装置。
【請求項６】
前記装置状態は、ビームの中心光度である請求項１〜５のいずれか１つに記載の照明装置。
【請求項７】
前記装置状態は、照射光の色温度である請求項１〜６のいずれか１つに記載の照明装置。
【請求項８】
前記表示部は、接続部が配置された面に共に配置される請求項１〜７のいずれか１つに記載の照明装置。
【発明の詳細な説明】
【技術分野】
【０００１】
本発明の実施形態は、照明装置に関する。
【背景技術】
【０００２】
従来、例えば特許文献１には、照明装置として、例えば舞台やスタジオ等で使用されるスポットライトにおいて、表示部を備えることが示されている。特許文献１に示される表示部は、制御装置の側面に形成され、光源の温度が耐熱温度以上である場合にアラーム表示として点灯される。
【先行技術文献】
【特許文献】
【０００３】
【特許文献１】特開２０１８−０５６０８８号公報
【発明の概要】
【発明が解決しようとする課題】
【０００４】
しかし、照明装置においては、作業者に対して様々な情報を報知することが望まれている。
【０００５】
本発明は、上記に鑑みてなされたものであって、様々な情報を表示することのできる照明装置を提供することを目的とする。
【課題を解決するための手段】
【０００６】
実施形態の照明装置は、表示部を具備する。表示部は、識別情報を表示可能な表示面に装置状態を表示可能である。
【発明の効果】
【０００７】
様々な情報を表示することができる。
【図面の簡単な説明】
【０００８】
【図１】図１は、実施形態に係る照明装置の概略断面図である。
【図２】図２は、実施形態に係る照明装置の概略背面図である。
【図３】図３は、実施形態に係る照明装置の機能構成を示すブロック図である。
【図４】図４は、表示部の表示例を示す図である。
【図５】図５は、表示部の表示例を示す図である。
【図６】図６は、表示部の表示例を示す図である。
【図７】図７は、表示部の表示例を示す図である。
【図８】図８は、表示部の表示例を示す図である。
【発明を実施するための形態】
【０００９】
以下で説明する実施形態に係る照明装置１は、表示部７を具備する。表示部７は、識別情報を表示可能な表示面に装置状態を表示可能である。
【００１０】
また、以下で説明する実施形態に係る照明装置１では、識別情報は、ＤＭＸを用いた通信のチャンネルである。
【００１１】
また、以下で説明する実施形態に係る照明装置１では、装置状態は、通電状態である。
【００１２】
また、以下で説明する実施形態に係る照明装置１では、装置状態は、ＤＭＸの通信状態である。
【００１３】
また、以下で説明する実施形態に係る照明装置１では、装置状態は、ビーム角である。
【００１４】
また、以下で説明する実施形態に係る照明装置１では、装置状態は、ビームの中心光度である。
【００１５】
また、以下で説明する実施形態に係る照明装置１では、装置状態は、照射光の色温度である。
【００１６】
また、以下で説明する実施形態に係る照明装置１では、表示部７は、接続部６が配置された面に共に配置される。
【００１７】
以下、図面を参照して、実施形態に係る照明装置１を説明する。実施形態において同一の部位には同一の符号を付し、重複する説明は省略される。
【００１８】
［実施形態］
図１は、実施形態に係る照明装置の概略断面図である。図２は、実施形態に係る照明装置の概略背面図である。図３は、実施形態に係る照明装置の機能構成を示すブロック図である。図４〜図８は、表示部の表示例を示す図である。
【００１９】
照明装置１は、例えばスタジオや舞台等で使用されるスポットライトである。照明装置１は、図１に示されているように、筐体２と、光源３と、レンズ４と、調整手段５とを具備している。また、照明装置１は、図２に示されているように、接続部６と、表示部７と、入力部８とを具備している。
【００２０】
ここで、図１に示すように、レンズ４の光軸１０の延在する方向を光軸方向という。そして、光軸方向において、光源３が光を発する方向に向く側を正面側といい、光源３が光を発する反対方向に向く側を背面側という。
【００２１】
図１及び図２に示すように、筐体２は、金属板により矩形状の箱体として形成されている。筐体２は、正面側が開口して投光窓２Ａが形成されている。筐体２は、正面側以外は閉塞して形成され、図示しないが必要に応じて冷却用の通風孔が形成されている。
【００２２】
光源３は、図１に示すように、筐体２の内部であって筐体２の中央部に固定されている。光源３は、図には明示しないが、ＬＥＤモジュールを備えている。ＬＥＤモジュールは、光源３のうちのレンズ４に対向する面に配置されている。ＬＥＤモジュールは、チップオンボード（ＣＯＢ：Chip  On  Board）型のモジュールであり、基板と発光ダイオード（ＬＥＤ：Light  Emitting  Diode）を備えている。基板は、平坦である板状に形成されている。発光ダイオードは、基板の一方の面に配置され、基板に実装されている。発光ダイオードは、複数設けられていてもよく、この場合、基板の一方の面のうちの互いに異なる複数の位置にそれぞれ配置され、基板に実装されている。発光ダイオードは、基板から電力が供給されることにより、光軸方向と平行に図１に矢印Ａで示す方向に向けて発光する。
【００２３】
レンズ４は、図１に示すように、凸レンズやフレネルレンズ等が用いられる。レンズ４は、光軸１０を中心とした円形状に形成されている。レンズ４は、光源３から発される光に照らされるように光源３の正面側に配置され、光軸１０が光源３から発される光の中心となるように配置されている。レンズ４は、平面４Ａが背面側であって光源３に向き、凸面４Ｂが正面側であって投光窓２Ａから筐体２の外部を臨むように配置されている。従って、光源３から発される光は、レンズ４を介して投光窓２Ａから筐体２の外部に投光される。レンズ４は、光軸方向に移動可能に筐体２に支持されている。なお、レンズ４が筐体２に固定され、光源３が光軸方向に移動可能に筐体２に支持されていてもよい。即ち、光源３とレンズ４とは、光軸方向に相対的に移動可能な関係にある。
【００２４】
調整手段５は、図１に示すように、レンズ４を光軸方向に移動可能に支持するものである。調整手段５は、回転軸５Ａと、軸受５Ｂと、操作ハンドル５Ｃと、支持管５Ｄとを具備している。回転軸５Ａは、光軸方向と平行に延在した棒状に形成され、筐体２の内部に配置されている。回転軸５Ａは、正面側の端部と背面側の端部とがそれぞれ軸受５Ｂを介して筐体２に支持されていることで回転可能に設けられている。回転軸５Ａは、光源３が配置された位置から正面側に雄ネジ５Ａａが形成されている。回転軸５Ａは、背面側の端部が筐体２の外部に突き抜けて設けられている。この回転軸５Ａの背面側の端部に操作ハンドル５Ｃが取り付けられている。即ち、回転軸５Ａは、筐体２の背面側の外部において操作ハンドル５Ｃを回転操作することで回転される。支持管５Ｄは、回転軸５Ａに挿通され回転軸５Ａの雄ネジ５Ａａに螺合されている。支持管５Ｄは、レンズ４が固定されている。これにより、支持管５Ｄは、操作ハンドル５Ｃによって回転軸５Ａが一方向へ回転した場合に回転軸５Ａの雄ネジ５Ａａとの螺合によってレンズ４を伴って光軸方向の正面側に移動する。また、支持管５Ｄは、操作ハンドル５Ｃによって回転軸５Ａが他方向へ回転した場合に回転軸５Ａの雄ネジ５Ａａへの螺合によってレンズ４を伴って光軸方向の背面側に移動する。なお、調整手段５は、支持管５Ｄに光源３が固定されて光源３を光軸方向に移動させてもよい。
【００２５】
接続部６は、図２に示すように、筐体２の背面側の外面に配置され、給電接続部６Ａと、電源線接続部６Ｂと、第一信号線接続部６Ｃと、第二信号線接続部６Ｄとを有している。給電接続部６Ａは、外部の交流電源を入力するため電源コードが接続される。電源線接続部６Ｂは、外部（例えば他の照明装置）に電力を出力するためのコンセントである。第一信号線接続部６Ｃは、外部の調光器等から送信された信号を含む制御信号が入力される入力コネクタである。第二信号線接続部６Ｄは、第一信号線接続部６Ｃに入力した制御信号が出力される渡りコネクタである。
【００２６】
表示部７は、図２に示すように、筐体２の背面側の外面に配置されている。表示部７は、例えば液晶表示部や有機ＥＬ（Electro  Luminescence）表示部として構成されている。即ち、表示部７は、表示が行われる表示面を有している。
【００２７】
入力部８は、図２に示すように、筐体２の背面側の外面に配置されている。入力部８は、表示部７に表示を入力したり、表示を切り替えたりする。入力部８は、例えば設定キー８Ａと、決定キー８Ｂと、カーソルキー８Ｃとを有している。例えば設定キー８Ａを押下することで表示部７の表示を入力可能となる。例えば決定キー８Ｂを押下することで入力した表示を決定できる。例えば設定キー８Ａを押下した後、カーソルキー８Ｃを押下することで表示の数値を変更したり、入力する表示の該当位置を変更したりできる。例えば決定キー８Ｂを押下した後、カーソルキー８Ｃを押下することで表示部７の表示を切り替えできる。
【００２８】
なお、筐体２は、光源３から正面側の領域が、光源３やレンズ４が配置される照明領域２ａとして構成されている。また、筐体２は、光源３よりも背面側の領域が、図には明示しないが、電源装置等が収納される収納領域２ｂとして構成されている。電源装置は、交流電源を直流電源に変換するものである。
【００２９】
図３に示すように、照明装置１は、制御部２１を具備している。制御部２１は、上述した表示部７及び入力部８が接続されている。また、制御部２１は、通信部１１、検出部１２及び記憶部１３が接続されている。また、制御部２１は、情報取得部２２及び表示制御部２３を有している。
【００３０】
通信部１１は、例えば所定の通信回路等によって実現される。通信部１１は、収納領域２ｂに収納される。通信部１１は、第一信号線接続部６Ｃ及び第二信号線接続部６Ｄを介し、例えばイーサネット（登録商標）やＬＡＮ（Local  Area  Network）等のネットワークに接続される。本実施形態の照明装置１は、図には明示しないが、調光卓から受け付けたＤＭＸ信号や、ＤＭＸ規格を拡張したＲＤＭ（Remote  Device  Management）規格に沿ったＲＤＭ信号等の制御信号により、光の強度（調光度）や、出力する光の色彩、範囲等を制御可能な照明機器であり、受信した制御信号に従って所定の位置の照明を行う。通信部１１は、このような制御信号の入出力を行うためのものである。
【００３１】
検出部１２は、調整手段５において調整されたレンズ４の移動位置であって光源３との相対距離を検出する。この場合、検出部１２は、例えば回転軸５Ａの回転角を検出するセンサで実現される。又は、検出部１２は、例えば所定の基準位置からのレンズ４の距離を検出するセンサで実現される。また、検出部１２は、上述した電源装置に給電されているか否か、即ち、通電中であるか否かを検出するセンサで実現される。
【００３２】
記憶部１３は、例えば、ＲＡＭ（Random  Access  Memory）、フラッシュメモリ（Flash  Memory）等の半導体メモリ素子、又は、ハードディスク、光ディスク等の記憶装置によって実現される。記憶部１３は、収納領域２ｂに収納される。記憶部１３は、入力部８の各キー８Ａ，８Ｂ，８Ｃの押下による入力情報に基づいて表示部７の表示を変更したり切り替えたりするプログラムが関連付けられて記憶されている。また、記憶部１３は、例えば、検出部１２で検出された電源装置への給電状態に基づいて表示部７に表示をするプログラムが関連付けられて記憶されている。また、記憶部１３は、例えば、通信部１１からの入力情報（ＤＭＸの通信状態）に基づいて表示部７に表示をするプログラムが関連付けられて記憶されている。また、記憶部１３は、例えば、検出部１２で検出された回転軸５Ａの回転角や基準位置からのレンズ４の距離に基づき、光源３から発光されてレンズ４で照射される光（ビーム）のビーム角が関連付けられて記憶されている。また、記憶部１３は、例えば、検出部１２で検出された回転軸５Ａの回転角や基準位置からのレンズ４の距離に基づき、光源３から発光されてレンズ４で照射される光（ビーム）の中心光度が関連付けられて記憶されている。また、記憶部１３は、例えば、検出部１２で検出された回転軸５Ａの回転角や基準位置からのレンズ４の距離に基づき、光源３から発光されてレンズ４で照射される照射光の色温度が関連付けられて記憶されている。
【００３３】
制御部２１は、照明装置１の各部を制御するコントローラである。制御部２１は、ＣＰＵ（Central  Processing  Unit）、ＭＰＵ（Micro  Processing  Unit）等のプロセッサであってもよいし、ＦＰＧＡ（Field  Programmable  Gate  Array）、ＡＳＩＣ（Application  Specific  Integrated  Circuit）等の集積回路であってもよい。また、制御部２１は、１つの素子で構成されていてもよいし、複数の素子で構成されていてもよい。制御部２１が複数の素子で構成される場合、これら複数の素子は、照明装置１内の離れた場所に配置されていてもよい。例えば、複数の素子が別々の基板に実装されていてもよい。
【００３４】
制御部２１は、入力部８からの入力や、通信部１１からの入力や、検出部１２からの入力や、記憶部１３からの入力を、情報取得部２２で取得し、取得した情報に基づいて表示制御部２３において表示部７の表示を制御する。制御部２１は、入力部８において設定キー８Ａが押下された場合、設定キー８Ａが押下された旨の入力情報を情報取得部２２で取得する。情報取得部２２は、この入力情報に基づいて関連付けられた表示部７の表示形態の変更や切り替えの情報を記憶部１３から取得する。そして、表示制御部２３は、情報取得部２２が取得した各情報から、表示部７の表示を入力可能とするように表示部７を制御する。本実施形態の照明装置１では、例えば図４に示すように、ＤＭＸを用いた通信の識別情報であるチャンネルを表示部７に表示可能であり、このチャンネルを入力可能とする。その後、カーソルキー８Ｃや決定キー８Ｂの押下された旨の入力情報と、記憶部１３からこの入力情報に基づいて関連付けられた表示部７の表示形態の変更や切り替えの情報を情報取得部２２で取得し、各情報から、表示部７の表示を変更又は決定するように表示部７を制御する。例えば図４において、入力可能の場合、下一桁の「３」を点滅させる。その後、カーソルキー８Ｃの上向きの押下回数又は押下時間に基づいて「３」の数値から増加方向に変更させる。カーソルキー８Ｃの下向きの押下回数又は押下時間に基づいて「３」の数値を減少方向に変更させる。また、カーソルキー８Ｃの横向きの押下回数又は押下時間に基づいて桁の増加方向や減少方向に点滅を変化させる。そして、決定キー８Ｂの押下に基づいて現表示に決定するように点滅を終了する。
【００３５】
このように、本実施形態の照明装置１は、表示部７に識別情報としてＤＭＸを用いた通信のチャンネルを表示する。
【００３６】
また、制御部２１は、通信部１１からＤＭＸの通信状態、即ちＤＭＸの信号を受信しているか否かの入力情報を情報取得部２２で取得する。情報取得部２２は、この入力情報に基づいて関連付けられた表示部７の表示情報を記憶部１３から取得する。そして、表示制御部２３は、情報取得部２２が取得した情報から、ＤＭＸの信号を受信している場合、図５〜図８に示すように、「ＤＭＸ受信中」と表示するように表示部７を制御する。
【００３７】
また、制御部２１は、検出部１２から電源装置に給電されているか否かの入力情報を情報取得部２２で取得する。情報取得部２２は、この入力情報に基づいて関連付けられた表示部７の表示情報を記憶部１３から取得する。そして、表示制御部２３は、情報取得部２２が取得した情報から、電源装置に給電されている場合、図５〜図８に示すように、「通電中」と表示するように表示部７を制御する。
【００３８】
また、制御部２１は、検出部１２からレンズ４の移動位置であって光源３との相対距離の入力情報を情報取得部２２で取得する。情報取得部２２は、この入力情報に基づいて関連付けられたビーム角や、中心光度や、色温度の情報を記憶部１３から取得する。そして、表示制御部２３は、情報取得部２２が取得した情報から、図６に示すように、ビーム角が「３４°」であることを表示するように表示部７を制御する。また、表示制御部２３は、情報取得部２２が取得した情報から、図７に示すように、中心光度が「１３６０２ｃｄ」であることを表示するように表示部７を制御する。また、表示制御部２３は、情報取得部２２が取得した情報から、図８に示すように、色温度が「３２００Ｋ」であることを表示するように表示部７を制御する。これら、ビーム角や、中心光度や、色温度の表示は、所定時間毎に切り替わるようにしてもよく、入力部８のカーソルキー８Ｃの押下回数又は押下時間に基づいて切り替わるようにしてもよい。
【００３９】
このように、本実施形態の照明装置１は、識別情報を表示可能な表示面に装置状態を表示可能な表示部７を具備することで、様々な情報を表示することができる。
【００４０】
また、本実施形態の照明装置１では、識別情報は、ＤＭＸを用いた通信のチャンネルであり、ＤＭＸを用いた通信のチャンネルを表示する表示面に装置状態を表示することで、多数の情報を表示することができる。
【００４１】
また、本実施形態の照明装置１では、装置状態は、通電状態であり、識別情報を表示可能な表示面に通電状態を表示して作業者に知らせることができる。
【００４２】
また、本実施形態の照明装置１では、装置状態は、ＤＭＸの通信状態であり、識別情報を表示可能な表示面にＤＭＸの通信状態を表示して作業者に知らせることができる。
【００４３】
また、本実施形態の照明装置１では、装置状態は、ビーム角であり、識別情報を表示可能な表示面にビーム角を表示して作業者に知らせることができる。
【００４４】
また、本実施形態の照明装置１では、装置状態は、ビームの中心光度であり、識別情報を表示可能な表示面にビームの中心光度を表示して作業者に知らせることができる。
【００４５】
また、本実施形態の照明装置１では、装置状態は、照射光の色温度であり、識別情報を表示可能な表示面に照射光の色温度を表示して作業者に知らせることができる。
【００４６】
また、本実施形態の照明装置１では、表示部７は、接続部６が配置された面に共に配置されることで、作業者は、接続作業を行う位置で表示部７により様々な情報を得ることができる。
【００４７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４８】
１：照明装置
２：筐体
２Ａ：投光窓
２ａ：照明領域
２ｂ：収納領域
３：光源
４：レンズ
４Ａ：平面
４Ｂ：凸面
５：調整手段
５Ａ：回転軸
５Ａａ：雄ネジ
５Ｂ：軸受
５Ｃ：操作ハンドル
５Ｄ：支持管
６：接続部
６Ａ：給電接続部
６Ｂ：電源線接続部
６Ｃ：第一信号線接続部
６Ｄ：第二信号線接続部
７：表示部
８：入力部
８Ａ：設定キー
８Ｂ：決定キー
８Ｃ：カーソルキー
１０：光軸
１１：通信部
１２：検出部
１３：記憶部
２１：制御部
２２：情報取得部
２３：表示制御部
【図１】
2020053264.tif 000003
【図２】
2020053264.tif 000004
【図３】
2020053264.tif 000005
【図４】
2020053264.tif 000006
【図５】
2020053264.tif 000007
【図６】
2020053264.tif 000008
【図７】
2020053264.tif 000009
【図８】
2020053264.tif 000010